(57)【要約】【課題】転写不良を起こすことなく、効率よくカードの反りを矯正することができ、物理的強度が劣化することのない、再転写カードプリンタを提供する。【解決手段】重ね合わされた転写フィルムとカードを、加熱押圧する、転写手段、加熱押圧した、重ね合わされた前記転写フィルムと前記カードの反りを矯正しつつ、冷却する冷却・反り矯正手段、冷却した、前記転写フィルムと前記カードを分離するする分離手段、とを設けたことを特徴とする。【選択図】図１
2011230329.tif 000002
【特許請求の範囲】
【請求項１】
重ね合わされた転写フィルムとカードを、加熱押圧する、転写手段、
加熱押圧した、重ね合わされた前記転写フィルムと前記カードの反りを矯正しつつ、冷却する冷却・反り矯正手段、
冷却した、前記転写フィルムと前記カードを分離するする分離手段、
とを設けたことを特徴とする再転写カードプリンタ。
【請求項２】
前記冷却・反り矯正手段が、重ね合わされた前記転写フィルムと前記カードを、反り矯正板に押し当て、冷却する冷却・反り矯正手段であることを特徴とする、請求項１に記載の再転写カードプリンタ。
【請求項３】
前記冷却・反り矯正手段が、重ね合わされた前記転写フィルムと前記カードの、前記転写フィルム側から前記カードの両端位置を押さえロールにより、前記反り矯正板に押圧されることによって行われることを特徴とする請求項１または、２に記載の再転写カードプリンタ。
【発明の詳細な説明】
【技術分野】
【０００１】
本発明は、再転写カードプリンタに関するものである。
【背景技術】
【０００２】
従来、支持体フィルム上に転写層として、文字、デザインや、偽造防止とデザインを兼ねたホログラム等ＯＶＤ（Ｏｐｔｉｃａｌ  Ｖａｒｉａｂｌｅ  Ｄｅｖｉｃｅ）を、画像パターンとして設けた転写フィルムが知られ、その転写フィルムを用いた再転写カードプリンタは、ＩＤカードなどのカードへの好適な画像形成手段として広く使用されている。
【０００３】
このように、カードに転写で間接的に画像パターンを施すことは、例えば、画像パターンを付与したいカードへ直接に画像を形成することが技術的に困難であるとか、量産性に欠けるとか、あるいはコストが嵩むとかの問題が伴う場合、上記のような転写フィルムにひとまず画像パターンを形成しておき、しかる後に熱ローラーや熱圧板等による転写によってその画像パターンをカードへ再転写するという方法がとられている。
【０００４】
この再転写カードプリンタには、白地のカードに転写フィルムの画像を転写する再転写部と、再転写後のカードの反りを矯正する反り矯正部を有している。再転写部において、長尺の転写フィルムは、カードの被転写部に見当を合わせて重ねられ、熱ロールと押圧ロールの間を通り、熱と押圧によって、画像パターンをカードに再転写する。
【０００５】
冷却後、転写フィルムは、カードより剥離され、画像パターンはカードに移行する。この画像パターンが転写されたカードは、再転写部の熱と押圧によって、熱ロール側にカールしている。
【０００６】
そのため、後工程の反り矯正部に、再転写部で当てた熱ロールと、反対側のカード面に加熱ロールを設けて、カードにその加熱ロールを当てて熱をかけて、カードの反りを矯正する再転写カードプリンタがあった。（特許文献１）
この場合、再転写部と反り矯正部で熱をかけるため、再転写カードプリンタ内の温度が上昇するので、再転写カードプリンタ内を冷却するための、ファンなどによる冷却装置が必要であった。
【０００７】
また、再転写カードプリンタ内の温度上昇を回避するために、再転写部で画像パターンが転写されたカードを冷却後、転写フィルムを剥離して、反り矯正部で熱ロールを用いずに、ロール間を通すことにより、力学的作用によって反りを矯正する再転写カードプリンタがあった。（特許文献２）
公知文献を以下に示す。
【先行技術文献】
【特許文献】
【０００８】
【特許文献１】特開２０００−１８７７１２号公報
【特許文献２】特開２００４−１７５５２４号公報
【発明の概要】
【発明が解決しようとする課題】
【０００９】
再転写部で転写フィルムに重ねられ加熱押圧されたカードは、充分に冷却した後に転写
フィルムを剥がさないと、インキの密着が悪くなり、転写不良を起こすことがある。また力学的作用によって反りを強制的に矯正すると、カードにひずみが残り、使用中に再度カールが発生する恐れや、ひずみによって物理的強度が劣化する恐れがある。
【００１０】
本発明は、転写不良を起こすことなく、効率よくカードの反りを矯正することができ、物理的強度が劣化することのない、再転写カードプリンタを提供することを課題とする。
【課題を解決するための手段】
【００１１】
本発明は係る課題に鑑みなされたものであり、請求項１の発明は、重ね合わされた転写フィルムとカードを、加熱押圧する、転写手段、
加熱押圧した、重ね合わされた前記転写フィルムと前記カードの反りを矯正しつつ、冷却する冷却・反り矯正手段、
冷却した、前記転写フィルムと前記カードを分離するする分離手段、
とを設けたことを特徴とする再転写カードプリンタである。
【００１２】
本発明の再転写カードプリンタは、以上のような構成であって、転写時に加熱された状態で反りが矯正されるので、矯正されたカードに歪みが残りにくい。また、矯正と冷却が同時にされるので、効率よくカードの反りを矯正することができ、かつ、充分な冷却を行うことが出来、カードから転写フィルムを剥離したときに、画像パターンが転写フィルムに残ることがない。
【００１３】
また、冷却と反り矯正を同時に行うので、再転写カードプリンタに冷却のためだけのスペースを別途設ける必要が無く、再転写カードプリンタを小型化することが出来る。
【００１４】
本発明の請求項２の発明は、前記冷却・反り矯正手段が、重ね合わされた前記転写フィルムと前記カードを、反り矯正板に押し当て、冷却する冷却・反り矯正手段であることを特徴とする、請求項１に記載の再転写カードプリンタである。
【００１５】
本発明はさらに、前記冷却・反り矯正手段が、重ね合わされた転写フィルムとカードを反り矯正板に押し当て行うので、冷却効率が高く、転写速度の向上が出来る。
【００１６】
本発明の請求項３の発明は、前記冷却・反り矯正手段が、重ね合わされた前記転写フィルムと前記カードの、前記転写フィルム側から前記カードの両端位置を押さえロールにより、前記反り矯正板に押圧されることによって行われることを特徴とする請求項１または、２に記載の再転写カードプリンタである。
【００１７】
本発明はさらに、冷却・反り矯正手段が、カードの両端位置を押さえロールにより、反り矯正板に押圧されることによって行われるので、構造が簡単であり、再転写カードプリンタの小型化やコストダウンになる。
【発明の効果】
【００１８】
本発明の再転写カードプリンタは、以上のように構成されているので、これによって転写されたカードは、転写不良がなく、また、カードが使用中に再度カールを起こしたり、物理的強度が劣化することのない。
【図面の簡単な説明】
【００１９】
【図１】本発明の再転写カードプリンタの一例を模式的に示した説明図である。（Ａ）本発明の再転写カードプリンタの一例で、転写フィルムに、カードが重ねあわされた状態を模式的に示した説明図である。（Ｂ）本発明の再転写カードプリンタの一例で、転写フィルムとカードを加熱押圧している状態を模式的に示した説明図である。（Ｃ）本発明の再転写カードプリンタの一例で、転写フィルムとカードを、冷却・反り矯正している状態を模式的に示した説明図である。（Ｄ）本発明の再転写カードプリンタの一例で、転写フィルムとカードを分離している状態を模式的に示した説明図である。
【図２】本発明の再転写カードプリンタの一例に用いる矯正板の形状を模式的に示した正面図である。
【発明を実施するための形態】
【００２０】
以下本発明を実施するための形態につき説明する。
図１は、本発明の再転写カードプリンタの一例を模式的に示した説明図である。
（Ａ）は、本発明の再転写カードプリンタの一例で、転写フィルムに、カードが重ねあわされた状態を模式的に示した説明図である。
（Ｂ）は、本発明の再転写カードプリンタの一例で、転写フィルムとカードを加熱押圧している状態を模式的に示した説明図である。
（Ｃ）は、本発明の再転写カードプリンタの一例で、転写フィルムとカードを、冷却・反り矯正している状態を模式的に示した説明図である。
（Ｄ）は、本発明の再転写カードプリンタの一例で、転写フィルムとカードを分離している状態を模式的に示した説明図である。
【００２１】
本例の再転写カードプリンタには、転写フィルム３とカード１を重ね合わせる、重ね手段、重ね合わせた転写フィルム３とカード１を加熱押圧する、転写手段、加熱押圧した転写フィルム３とカード１の反りを矯正しつつ冷却する、冷却・反り矯正手段、冷却した転写フィルムとカードを分離する、分離手段を、順次設けてある。
【００２２】
重ね手段では、図1（Ａ）のように、上流側から移送されてきたカード１にガイドロール２を通って、送り出されてきた長尺の転写フィルム３が、重ねられる。このとき転写フィルム３の絵柄見当に合わせて、カード１を送り出すようになっている。この重ね手段では、カード１と転写フィルム３が、必ずしも、密着していなくても良い。浮いた状態で重ねられていて、転写手段で密着させても良い。
【００２３】
転写手段では、図1（Ｂ）のように、重ねあわされた転写フィルム３とカード１の、転写フィルム３側に熱ロール４、カード１側に圧ロール５を位置させ、カード１がきたときに熱ロール４を下げ、転写フィルム３とカード１を加熱・押圧する。
【００２４】
冷却・反り矯正手段では、図1（Ｃ）のように、反り矯正板６が設けられていて、転写フィルム３とともに、カード１が送られてきたときに、上方より２本の押さえロール７ａ、７ｂが降りてきて、転写フィルム３とともに、カード１を反り矯正板６に押し付け、転写時に起きたカード１の反りを矯正する。
【００２５】
本例では２本の押さえロール７ａ、７ｂを用いるものを記載したが、２本に限ることはない。２本以上の本数の押さえロールを用いても良い。また、ロールを用いたが、平板状の押さえ板を用いても良い。押さえロールを用いる場合でも、押さえ板を用いる場合であっても、反り矯正板６上で、押さえて冷却するまで、停止していることが望ましく、このため、間歇的に送られることが好ましい。
【００２６】
反り矯正板６は、冷却ファン８によって冷却されていて、カード１が冷却される。これによって、カード１の反りの矯正と冷却を同時に行うことが出来る。そのため、再転写カードプリンタ内が過度に温度上昇してしまうことが避けられる。
【００２７】
また、転写手段で、加熱されたカード１が、熱いうちに反り矯正板６と２本の押さえロール７ａ、７ｂによって、反りが矯正され、この押さえられた状態で冷却されるので、応力が緩和されてひずみが残らずに矯正される。
【００２８】
分離手段では、図1（Ｄ）のように、排紙側ガイドロール９によって、転写フィルム３は進む方向を上方向に変えられ、カード１はそのまま真っ直ぐ左方向に進む、このようにして、カード１より転写フィルム３が剥離されて分離される。
【００２９】
このとき、画像パターンは、カード１に転写されたまま、カード１に残っている。このように冷却後に、転写フィルム３を分離するので、画像パターンはきれいにカード１に転写される。
【００３０】
本例の再転写カードプリンタに用いる、熱ロール４は、金属ロールの内側にヒーターが内蔵されているものを用いることが出来る。また、圧ロール５には、ドラム表面が金属のものや、硬質ゴムのものを用いることが出来る。
【００３１】
反り矯正板６には、図２（Ａ）のような平板を用いることが出来る。また、カード１との接触面が、図２（Ａ）、（Ｂ）のように、上に凸となるような湾曲形状となっていても良い。カード１の材質や、転写の条件によって、カールの状態が異なるので、これに合わせて、カード１との接触面の形状を選択すればよい。
【００３２】
また、反り矯正板６の材質は、熱伝導性の良いものが求められ、且つ、曲がりにくく、硬いものが好ましい。この点から、金属のものが望ましく、特にステンレスであることが望ましい。
【００３３】
押さえロール７ａ、７ｂのドラム表面の材質も、金属や、硬質ゴムを使用することが出来る。給紙側ガイドロール２や、排紙側ガイドロール９は、表面の材質が金属のものを、用いることが出来る。
【００３４】
冷却ファン８は、反り矯正板６を冷却するためのもので、材質などは特にこだわらない。反り矯正板６を冷却できればよい。冷却方法はこれに限ることは無く、反り矯正板６の内部にパイプを通して、冷却水あるいは他の冷却した液体を循環させて冷却しても良い。
【００３５】
本発明の再転写カードプリンタに用いられるカード１は、特に限定されるものではなく、磁気カードでも良いし、ＩＣカードでも良く、また、電子記録媒体の機能を有さないカードでもかまわない。
【００３６】
カード１の材質としては、ポリ塩化ビニルや塩化ビニル・酢酸ビニル共重合体が好ましく用いられる。また、ポリ塩化ビニルや非結晶性ポリエステルをコアシートとして、その両面に表面シート、裏面シートとして、２軸延伸ポリエチレンテレフタレートを接着した複合シートでも良い。
【００３７】
また、本発明の再転写カードプリンタに用いられる転写フィルム３としては、熱と押圧によって、画像パターンをカード１に転写できるものであれば特にこだわらない。転写フィルム３の一例は、基材フィルムに剥離層、画像パターン層、接着層を設けたものである。
【００３８】
基材フィルムには、転写時の熱や再転写カードプリンタ内での搬送で、伸縮したり、変形したりしないものが、好ましい。例えば、ポリエチレンテレフタレート、ポリエチレンナフタレート、ポリカーボネート、ポリメタクリル酸メチル、ポリスチレン、高密度ポリ
エチレン、ポリプロピレン、ポリビニルアルコール等合成樹脂、紙、合成紙などの単層フィルム、あるいは、これらから選択された複合フィルムが挙げられる。
【００３９】
また、その厚みは、２〜１００μｍのものが使用可能であるが、操作性、加工性の点から６〜５０μｍ程度のものが好ましい。 
【００４０】
そして、剥離層としては、転写時に容易に基材フィルムから剥離して、カード１の形状に膜が切れることが要求され、また、カード１に転写後、カード１の表面保護層として機能するものが好ましい。
【００４１】
例えば、熱可塑性ポリアクリル酸エステル、塩化ゴム系樹脂、塩化ビニル−酢酸ビニル共重合体、セルロース系樹脂、塩素化ポリプロン系樹脂、エポキシ系樹脂、ポリエステル系樹脂、ニトロセルロース系樹脂、スチレンアクリレート系樹脂、ポリエーテル系樹脂、ポリカーボネート等を単独で、あるいは、複合して用いることが出来る。
【００４２】
さらに、膜切れ性や耐磨耗性の点から、石油系ワックス、植物系ワックスなどの各種ワックス、ステアリン酸等高級脂肪酸の金属塩、シリコンオイルなどの滑剤や、フッ素樹脂系パウダー、ポリエチレンパウダー、シリコン系微粒子等を添加することが好ましい。 
【００４３】
また、画像パターン層の形成は、電子写真方式（トナーの転写等）、インクジェット方式などを用いることが可能であるが、転写リボンによる方法が好適に用いられる。昇華染料や、顔料を分散させた樹脂型溶融タイプや、ワックス溶融タイプの転写リボンがあり、いずれを用いても良い。
【００４４】
また、画像パターン層にホログラム等の回折画像を設けても良い。この場合、例えば、ポリウレタン、ポリカーボネート、ポリスチレン、ポリ塩化ビニルなど熱可塑性樹脂、不飽和ポリエステル樹脂、メラミン樹脂、エポキシ樹脂、ウレタン（メタ）アクリレート、ポリエステル（メタ）アクリレート、ポリオール（メタ）アクリレート、メラミン（メタ）アクリレートなどの熱硬化性樹脂を塗膜として設ける。
【００４５】
この塗膜に、レリーフ型ホログラムの回折画像などの微細な凹凸パターンが形成された凹凸版を押し当てて形成することができる。 
【００４６】
接着層は、カード１に画像パターン層や（保護層を兼ねた）剥離層を接着する層で、例えば、線状飽和ポリエステル等のポリエステル、ポリ塩化ビニルや塩化ビニル−酢酸ビニル共重合体等の塩化ビニル系樹脂、ポリアクリル酸、ポリアクリル酸−２−ナフチル、ポリアクリル酸メチル、ポリアクリル酸−２−メトキシエチル、ポリアクリル酸イソボルニル、ポリメタクリロメチル、ポリアクリロニトリル、ポリメタアクリル酸メチル等のアクリル系樹脂、ポリスチレン、ポリジビニルベンゼン、スチレン−ブタジエン共重合体等のビニル系樹脂が好ましく使用される。
【００４７】
このような転写フィルム３を用いて、前述のカード１などへ熱圧着により画像パターンを転写すると、カード１が反ってしまうが、本発明の再転写カードプリンタを用いることによって、その冷却・反り矯正手段で反りが矯正される。また、この冷却・反り矯正手段は、転写手段で加熱されたカード１を、転写フィルム３を重なったまま冷却するので、十分に冷却してから、転写フィルム３を剥がすことが出来、転写不良が起きない。更に、冷却だけのためのスペースを別途設ける必要がなく、再転写カードプリンタのサイズを小さくすることが出来る。
【符号の説明】
【００４８】
１・・・カード
２・・・給紙側ガイドロール
３・・・転写フィルム
４・・・熱ロール
５・・・圧ロール
６・・・反り矯正板
７ａ、７ｂ・・・押さえロール
８・・・冷却ファン
９・・・排紙側ガイドロール
【図１】
2011230329.tif 000003
【図２】
2011230329.tif 000004